(57)【要約】      （修正有）【課題】玩具銃の高速射双動力ギヤ構造に関し、特に発射前に弾丸が二重装填されるのを効果的に防止する玩具銃の高速射双動力ギヤ構造を提供する。【解決手段】複合ギヤ１１及び連動部材１２からなる駆動素子１を備えており、複合ギヤは円周面側に全周に渡って配置されている幅細ギヤ１１１及び局部的に配置された幅広ギヤ１１４が設けられる。幅細ギヤは電動モータ３０より駆動され、ピストン４２を駆動してピストンスプリング４５を圧縮する。ピストンの外周側にはＬ形フック部４１４を備えたバレル４１が覆設され、複合ギヤは一側面には電動モータの電源を制御可能な第２の連動突起２４が設けられる。連動部材上には第１の連動突起２２が設けられ、当該第１の連動突起がＬ形フック部に当接することでバレルが弾丸装填動作を行う。【選択図】図１
0003191682.tif 000002
【実用新案登録請求の範囲】
【請求項１】
複合ギヤ及び連動部材からなる駆動素子を備えており、このうち前記複合ギヤは円周面側に全周に渡って配置されている幅細ギヤ及び局部的に配置された幅広ギヤが設けられており、前記幅細ギヤは伝動素子を介して電動モータに連結されて、前記複合ギヤの回転を駆動する組み合わせを形成しており、前記幅広ギヤ上は歯が設けられていない肉抜き切欠きを有しており、かつこの幅広ギヤは複合ギヤが回転する過程に伴って、ピストン上に予め設けられているラックに噛合し、前記ピストンを駆動することでピストンスプリングを圧縮しており、
前記連動部材は前記複合ギヤの一側面に結合されており、この連動部材上には複合ギヤ外側に突出している第１の連動突起が設けられており、前記ピストンの外周側にはバレルが覆設されており、このバレルの外周側にはＬ形フック部が設けられており、Ｌ形フック部は前記第１の連動突起の枢転運動経路上に設置されるとともに、前記第１の連動突起は前記ピストンスプリングが完全に圧縮されるタイミング近くになってようやく当該Ｌ形フック部を駆動する、ことを特徴とする玩具銃の高速射双動力ギヤ構造。
【請求項２】
前記複合ギヤ上には位置決め凹部が設けられるとともに、前記連動部材が位置決め凹部に嵌入して結合する、ことを特徴とする請求項１に記載の玩具銃の高速射双動力ギヤ構造。
【請求項３】
前記複合ギヤは位置決め凹部から離れた側に肉抜き凹部が設けられており、この肉抜き凹部内には弾性アームが設けられており、前記弾性アームの自由端には第１の連動突起とは逆方向に突出している第２の連動突起が設けられている、ことを特徴とする請求項２に記載の玩具銃の高速射双動力ギヤ構造。
【請求項４】
前記幅広ギヤは前記幅細ギヤに接合されている、ことを特徴とする請求項１に記載の玩具銃の高速射双動力ギヤ構造。
【考案の詳細な説明】
【技術分野】
【０００１】
本考案は玩具銃の高速射双動力ギヤ構造に関し、特に発射前に弾丸が二重装填されるのを効果的に防止する玩具銃のギヤ構造に関する。
【背景技術】
【０００２】
現在、合成樹脂製の弾丸を発射可能な玩具銃製品において、空気式と機械式などの二種類の構造がよく見られるが、ところで空気式は外付けのエアタンクで玩具銃に圧搾空気を供給して、圧搾空気で発生した圧力で合成樹脂製弾丸を外部に押し出すものである。一方、機械式では圧縮されたスプリングが伸張するときに発生する弾力で、ピストンを押動して高圧空気を発生させることで合成樹脂製弾丸を外部に発射するものである。両者は動力源が異なるため、構造上にも顕著な相違が見られる。
【０００３】
特許文献１にて、本願考案者は手動及び電動モータでの駆動系を玩具銃単体中に兼備させたものを開発しているが、この種の構造は実際の応用において、電動状態にて、電源遮断時には、電動モータは慣性作用により複合ギヤを引き続き連動して所定位置から離れるか、又は複合ギヤ上に予め設けられた側部突起が引き金にぶつかり反転が発生して所定位置から離れてしまい、電動モータが再度駆動したときに噛合駆動の効果がなくなり、玩具銃の弾詰まり又は弾丸の二重装填にて発射時に二つの弾丸が発射される不具合が起きる。
【０００４】
このため、本願考案者が更に考案した別の特許文献２では、主に、第１の連結ロッドと、第１のプッシャと、伝動ユニットとを備えており、前記第１の連結ロッドの一端が第１のプッシャに枢接されており、第１の連結ロッドの他端は引き金に連結されており、前記引き金は第１の連結ロッドの横方向のスライドを連動するとともに、第１のプッシャを介してスイッチを連動して、第１の連結ロッドがスイッチを連動して、スイッチが電動モータの電源に導通することができる。前記伝動ユニットは電動モータに連結されている複合ギヤを備えており、前記複合ギヤ上には弾性アームと連動突起とが設けられており、前記連動突起は前記弾性アームの自由端に配置されている。実際の応用時には、上記構造は銃本体シェルと、バレルと、ピストンとからなる関係する機構が協働して実施される。このうち前記バレル及びピストンは銃本体シェル内に配置されるとともに、前記バレルには連動突起の運動経路上に位置しているＬ形フック部が設けられており、前記ピストン底部には複合ギヤに対応するラックが設けられており、しかもピストンは少なくとも一部がバレル内に挿入される。前記電動モータの電源が導通すると、複合ギヤの枢転運動により、ピストンを後方向に連動して圧縮を形成するとともに、ただちに連動突起がＬ形フック部によりバレルを連動して縮退して、予めマガジン内に装填されている弾丸がバレル前方の所定の発射待機位置に落下する。前記複合ギヤがラックから離れた後、ピストンが元の位置に復帰するとともにバレル内の空気を急速に圧縮して、発射待機位置上の弾丸が外部に向けて発射される。
【先行技術文献】
【特許文献】
【０００５】
【特許文献１】中国特許第ＺＬ２００５２０１３６４８５．３号「双動力式玩具銃の制御構造」
【特許文献２】中国特許第ＺＬ２００８２０３０２４４８．９号「双動力式玩具銃の制御構造（二）」
【考案の概要】
【考案が解決しようとする課題】
【０００６】
しかしながら、上記構造では実際の動作時に、前記バレルでの縮退弾丸装填過程において、前記ピストンも同時に圧縮過程にあるため、合成樹脂製弾丸が発射待機位置に装填された後、ピストンの圧縮過程が完了するまで待機する間不安定な状態（ピストンの圧縮動作によるバレルの振動、揺れ）にある一定時間維持された後、引き続き発射動作となる。これでは、当該マガジン内の弾丸が引き続き装填されてしまい、弾丸が二重装填されてしまう不具合が発生するのを回避できない可能性がある。
【０００７】
一般的な玩具銃構造にて弾丸の二重装填を完全に解決することが難しいという欠点に鑑み、考案者はこれら欠点の研究・改善において、ついに本考案を発案した。
【課題を解決するための手段】
【０００８】
本考案の主な目的は、電源モータ電源を制御する第２の連動突起及びバレルでの弾丸装填を駆動する第１の連動突起をそれぞれ複合ギヤの二つの異なる側に設置することで、前記第１の連動突起及び第２の連動突起の各々の動作ストローク及び周期を増大させて、電動モータの電源遮断後の慣性回転を吸収することで、弾丸が二重装填されてしまう不具合を効果的に回避して、全体的な操作品質を効果的に向上することができる、玩具銃の高速射双動力ギヤ構造を提供するところにある。
【０００９】
本考案の他の目的は、従来の玩具銃の大部分の内部構造に適用でき、より多くの部品設計を変更することがなく操作品質を向上する効果を達成し、開発及び製造コストを削減する効果を持つ、玩具銃の高速射双動力ギヤ構造を提供するところにある。
【００１０】
本考案が上記目的及び効果を達成するために採用する技術的手法は以下の通りである。複合ギヤ及び連動部材からなる駆動素子を備えており、このうち前記複合ギヤは円周面側に全周に渡って配置されている幅細ギヤ及び局部的に配置された幅広ギヤが設けられており、前記幅細ギヤは伝動素子を介して電動モータに連結されて、前記複合ギヤの回転を駆動する組み合わせを形成しており、前記幅広ギヤ上は歯が設けられていない肉抜き切欠きを有しており、かつこの幅広ギヤは複合ギヤが回転する過程に伴って、ピストン上に予め設けられているラックに噛合し、前記ピストンを駆動することでピストンスプリングを圧縮する。前記連動部材は前記複合ギヤの一側面に結合されており、この連動部材上には複合ギヤ外側に突出している第１の連動突起が設けられており、前記ピストンの外周側にはバレルが覆設されており、このバレルの外周側にはＬ形フック部が設けられており、Ｌ形フック部は前記第１の連動突起の枢転運動経路上に設置されるとともに、前記第１の連動突起は前記ピストンスプリングが完全に圧縮されるタイミング近くになってようやく当該Ｌ形フック部を駆動する。
【００１１】
上記構造によれば、前記複合ギヤ上には位置決め凹部が設けられるとともに、前記連動部材が位置決め凹部に嵌入して結合する。
【００１２】
上記構造によれば、前記複合ギヤは位置決め凹部から離れた側に肉抜き凹部が設けられており、この肉抜き凹部内には弾性アームが設けられており、前記弾性アームの自由端には第１の連動突起とは逆方向に突出している第２の連動突起が設けられている。
【００１３】
上記構造によれば、前記幅広ギヤは前記幅細ギヤに接合されている。
【図面の簡単な説明】
【００１４】
【図１】本考案の構造分解図である。
【図２】本考案を他の角度から見た駆動素子の構造分解図である。
【図３】本考案の一部組付け概略図である。
【図４】本考案の組付け断面図である。
【図５】本考案の電動射撃動作の概略図（一）である。
【図６】本考案の電動射撃動作の概略図（二）である。
【図７】本考案の電動射撃動作の概略図（三）である。
【図８】本考案の電動射撃動作の概略図（四）である。
【図９】本考案の電動射撃動作の概略図（五）である。
【考案を実施するための形態】
【００１５】
本考案の詳細な構造、応用原理、作用及び効果は、下記する図面についての説明を参照することで完全に明確になる。
【００１６】
図１ないし図４を参照されたい。本考案の構造は主に以下の通りであることが分かる。駆動素子１と連動素子２とのなどの部分を備えている。このうち、前記駆動素子１は複合ギヤ１１及び連動部材１２からなり、前記複合ギヤ１１は円周面側に全周に渡って配置されている幅細ギヤ１１１及び局部的に配置され且つ前記幅細ギヤ１１１に接合された幅広ギヤ１１４が設けられており、前記幅広ギヤ１１４にて歯が設けられていない部位には肉抜き切欠き１１５が形成されており、前記複合ギヤ１１の両側には肉抜き凹部１１２及び位置決め凹部１１６がそれぞれ設けられており、前記肉抜き凹部１１２内には弾性アーム１１３が設けられており、前記弾性アーム１１３の自由端には第２の連動突起１１７が設けられている。前記連動部材１２は前記位置決め凹部１１６内に密着して嵌入可能であって、前記連動部材１２が前記位置決め凹部１１６に露出している部位には前記第２の連動突起１１７とは逆方向に突出している第１の連動突起１２１が設けられている。
【００１７】
実際の応用時には、本考案の上記構造は連動素子２、伝動素子３、発射装置４及び銃本体シェル５などの関連する機構と組み合わせて実施することができるものであって、一つの具体的な実施例において、前記銃本体シェル５は二つのシェル半体５０及びシェル半体５０１が対向して結合することで構成され、前記銃本体シェル５内上方には接合する中空部５１、内部ガイド溝５４が対向して設けられており、前記中空部５１、前記内部ガイド溝５４の間の上方には前部ガイド溝５３が設けられており、前記内部ガイド溝５４の末端には位置決め溝５５が設けられており、前記銃本体シェル５の下方にはモータ連結端５２が設けられており、一方そのうちの前記シェル半体５０１の前記位置決め溝５５に近接した下方には水平に延在したスイッチ収容室５７及び垂直に延在した制御ガイド溝５６が設けられており、前記スイッチ収容室５７内にはプッシュ部材２２２に結合する電源スイッチ５８が設けられている。
【００１８】
前記連動素子２は第１の連結ロッド２１、第１の連動部材２２、第２の連結ロッド２３及び第２の連動部材２４からなり、前記第１の連結ロッド２１はスプリング（図示せず）で前記銃本体シェル５内に当接されることで、弾性スライド可能な特性を保持しており、前記第１の連結ロッド２１の一端には連結孔２１１（長孔）が設けられており、前記第１の連結ロッド２１の他端は前記第１の連動部材２２の一端に枢接されており、前記第１の連結ロッド２１の中段には第１の突起２１２が設けられている。前記第１の連動部材２２上には前記プッシュ部材２２２が枢設されており、しかも前記第１の連動部材２２と前記プッシュ部材２２２との間には第１のリセットスプリング２２３が設けられている。前記第２の連結ロッド２３の一端は接合部材を介してプッシュロッド２３３が枢接されており、しかも前記接合部材は前記銃本体シェル５の内部ガイド溝５４に近接した下方の部位に枢接されており、接合部材の枢転により前記第２の連結ロッド２３及び前記プッシュロッド２３３を反対方向に移動させるものであり、前記第２の連結ロッド２３上にはフック部２３１及び円弧面２３２が設けられるとともに、前記フック部２３１は前記円弧面２３２の一端に位置している。前記第２の連動部材２４は一側面に、前記銃本体シェル５内部に当接する第２のリセットスプリング２４３が設けられている。
【００１９】
前記伝動素子３は第１の複合ギヤ３１、第２の複合ギヤ３２からなり、前記第１の複合ギヤ３１は直角ギヤ３１１と前部ギヤ３１２とを備えており、前記直角ギヤ３１１は予め設けられている電動モータ３０にて動力を出力する伝動ギヤ３０１に噛合しており（前記電動モータ３０は前記モータ連結端５２上に固定されている）、前記前部ギヤ３１２は前記直角ギヤ３１１の一側面上に設けられている。前記第２の複合ギヤ３２は同一中心の大径ギヤ３２１と小径ギヤ３２２とを備えており、この大径ギヤ３２１は前記第１の複合ギヤ３１の前部ギヤ３１２に噛合し、前記小径ギヤ３２２は前記複合ギヤ１１の幅細ギヤ１１１に噛合している。
【００２０】
前記発射装置４はバレル４１、ピストン４２、引き金４３、ピボット４４、ピストンスプリング４５及びインナプランジャ４６からなり、前記バレル４１は前記銃本体シェル５の中空部５１内に収容されており、その一端には開口を有するピストン収容空間４１１が設けられ、他端は前記ピストン収容空間４１１に連通するエアノズル４１２が突出しており、前記バレル４１の外周縁には凸部４１３及びＬ形フック部４１４がそれぞれ設けられており、前記凸部４１３は前記銃本体シェル５の前部ガイド溝５３に挿入して運動規制が可能であって、前記ピストン４２の一端はピストンパッド４２２に結合可能であるとともに前記バレル４１のピストン収容空間４１１内に挿入するものであり、前記ピストン４２の他端には開口を有するプランジャ収容空間４２１が設けられており、前記インナプランジャ４６の一端が前記ピストンスプリング４５を貫通した後挿入するよう収容可能であり、前記プランジャ収容空間４２１の開口外側面にはストッパ凸部４２３が設けられており、また前記ピストン４２の外周縁には軸方向で延在した複数の側部リブ４２４及びラック４２５が設けられており、前記側部リブ４２４は前記銃本体シェル５の内部ガイド溝５４内に挿入してスライド可能であり、前記ラック４２５は前記複合ギヤ１１の幅広ギヤ１１４の枢転経路上に設置されており、前記インナプランジャ４６のピストン４２の外に露出する一端部にはフランジ４６１が設けられており、前記銃本体シェル５の位置決め溝５５内で嵌入して位置決め可能となっており、前記引き金４３は回転軸４３１を介して前記銃本体シェル５上に枢設されるとともに、第１のトーションスプリング４３３に結合されて枢転する弾性力を保持するものであり、前記引き金４３の上方には側部突起４３２が設けられており、前記側部突起４３２は前記第１の連結ロッド２１の連結孔２１１（長孔）内に挿入されて連動可能となっており、前記ピボット４４は前記銃本体シェル５内のピストン４２下方に枢設されるとともに、二つの端部には係止歯部４４１及び斜面４４２が設けられており、前記斜面４４２は前記第１の連結ロッド２１の第１の突起２１２に接触するとともに、前記ピボット４４は第２のトーションスプリング４４３により枢転の弾性力を保持可能となっている。
【００２１】
また前記銃本体シェル５の制御ガイド溝５６内にはイジェクタ６が設けられており、前記イジェクタ６の底部には圧縮スプリング６３が設けられており、前記イジェクタ６の底部には幅方向で前記制御ガイド溝５６の外に突出するイジェクト突起６１が設けられており、そして前記イジェクタ６の頭頂部にはストッパ部６２が設けられるとともに、前記ストッパ部６２は前記第１の連動部材２２、前記第２の連動部材２４に隣接している。
【００２２】
図５ないし図８を参照されたい。これから分かるように、本考案は電動単発射撃操作状態のとき、前記電源スイッチ５８が前記電動モータ３０の電源を導通すると、前記電動モータ３０は前記伝動ギヤ３０１を介して前記第１の複合ギヤ３１、前記モータ連結端５２を連動するとともに前記駆動素子１を駆動して、前記駆動素子１の複合ギヤ１１が回転し始める。このとき、前記複合ギヤ１１の幅広ギヤ１１４が前記ラック４２５を介して前記ピストン４２を（前記ピストンスプリング４５を圧縮する）一定の距離スライドさせるように駆動するとともに、前記ピボット４４の係止歯部４４１が前記ラック４２５内に嵌入することで位置決めを行う（図５に示す）。同時に、前記第１の連動突起１２１が前記Ｌ形フック部４１４を介して前記バレル４１を内向けに縮退させるように押動して、前記バレル４１のエアノズル４１２前方に位置しているマガジン８内の弾丸８１が前記エアノズル４１２前方の所定位置に落下して、合成樹脂製弾丸の装填動作が完了し（図６に示す。このとき前記複合ギヤ１１は前記肉抜き切欠き１１５で前記ラック４２５に対応するので、前記ピストン４２は圧縮した位置決めが維持されて引き続きスライドすることはない）、前記複合ギヤ１１が引き続き回転して前記第１の連動突起１２１を前記Ｌ形フック部４１４から離した後、前記バレル４１は前記マガジン８内の弾丸８１の落下を阻止する初期位置にまで復帰可能となるうえ、前記第２の連動突起１１７が前記フック部２３１内に挿入して前記第２の連結ロッド２３を連動し、しかも前記プッシュロッド２３３により前記電源スイッチ５８が前記電動モータ３０の電源を切断するように連動するが、慣性作用により、前記電動モータ３０の電源が切断された後でも直ちに停止することはなく、前記駆動素子１が引き続き短いストローク回転するように連動して、前記第２の連動突起１１７を前記フック部２３１から離して（図７に示す）、同時に前記第１の連動突起１２１は更にある角度回転しても、再度前記Ｌ形フック部４１４に接触する前に停止可能とすることで、前記バレル４１が再度縮退弾丸装填の動作することを回避して、弾丸が二重装填されてしまう不具合を完全に排除することができる（図８に示す）。前記引き金４３が作動されると、前記引き金４３が前記第１の連結ロッド２１の第１の突起２１２が前記斜面４４２に当接するように連動して、前記ピボット４４の係止歯部４４１を前記ラック４２５から離して、前記ピストン４２のロックを解除し、前記ピストン４２が前記ピストンスプリング４５の弾性力作用により、前記バレル４１内の空気を圧縮して前記エアノズル４１２から噴出させることで、前記エアノズル４１２前方に位置する前記弾丸８１が外側向けて圧縮発射され（図９に示す）、電動単発射撃の動作が完了する。
【００２３】
本考案の上記構造では、前記第２の連動突起１１７、前記第１の連動突起１２１をそれぞれ前記複合ギヤ１１の二相の異なる位置に設置する設計により、前記第２の連動突起１１７、前記第１の連動突起１２１にそれぞれ長い回転ストローク及び周期を持たせることで、前記電動モータ３０の電源遮断後の慣性回転を吸収して、ひいては従来における単一の構成部材で当該二つの機構をそれぞれ駆動することによる各回転ストローク及び周期が短くなってしまい、前記電動モータ３０の電源遮断後でもなおも慣性作用により弾丸が二重装填されてしまいやすいという不具合を改善することができる。
【００２４】
そして電動連続射撃操作状態では、前記第２の連動突起１１７及び前記第１の連動突起１２１の各々の動作は上記の単発射撃動の操作状態と同じでありつつ、その相違点はわずかに以下の通りである。制御機構を更に備えており、前記電動モータ３０の電源が前記電源スイッチ５８により切断されないように保持して、前記電動モータ３０を引き続き回転させて、前記第１の連動突起１２１が前記Ｌ形フック部４１４を介して前記バレル４１が引き続き弾丸を装填することと協働して、電動連続射撃の操作が完了することが可能となっている。
【産業上の利用可能性】
【００２５】
上記から分かるように、本考案の玩具銃の高速射双動力ギヤ構造は確実に射撃時の弾丸の二重装填を回避する効果をもたらし、産業上の利用可能性、新規性及び進歩性を備えている。
【符号の説明】
【００２６】
１      駆動素子
１１    複合ギヤ
１１１  幅細ギヤ
１１２  肉抜き凹部
１１３  弾性アーム
１１４  幅広ギヤ
１１５  肉抜き切欠き
１１６  位置決め凹部
１１７  第２の連動突起
１２    連動部材
１２１  第１の連動突起
２      連動素子
２１    第１の連結ロッド
２１１  連結孔
２１２  第１の突起
２２    第１の連動部材
２２２  プッシュ部材
２２３  第１のリセットスプリング
２３    第２の連結ロッド
２３１  フック部
２３２  円弧面
２３３  プッシュロッド
２４    第２の連動部材
２４３  第２のリセットスプリング
３      伝動素子
３０    電動モータ
３０１  伝動ギヤ
３１    第１の複合ギヤ
３２    第２の複合ギヤ
３１１  直角ギヤ
３１２  前部ギヤ
３２１  大径ギヤ
３２２  小径ギヤ
４      発射装置
４１    バレル
４１１  ピストン収容空間
４１２  エアノズル
４１３  凸部
４１４  Ｌ形フック部
４２    ピストン
４２１  プランジャ収容空間
４２２  ピストンパッド
４２３  ストッパ凸部
４２４  側部リブ
４２５  ラック
４３    引き金
４３１  回転軸
４３２  側部突起
４３３  第１のトーションスプリング
４４    ピボット
４４１  係止歯部
４４２  斜面
４４３  第２のトーションスプリング
４５    ピストンスプリング
４６    インナプランジャ
４６１  フランジ
５      銃本体シェル
５０    シェル半体
５０１  シェル半体
５１    中空部
５２    モータ連結端
５３    前部ガイド溝
５４    内部ガイド溝
５５    位置決め溝
５６    制御ガイド溝
５７    スイッチ収容室
５８    電源スイッチ
６      イジェクタ
６１    イジェクト突起
６２    ストッパ部
６３    圧縮スプリング
８      マガジン
８１    弾丸
【図１】
0003191682.tif 000003
【図２】
0003191682.tif 000004
【図３】
0003191682.tif 000005
【図４】
0003191682.tif 000006
【図５】
0003191682.tif 000007
【図６】
0003191682.tif 000008
【図７】
0003191682.tif 000009
【図８】
0003191682.tif 000010
【図９】
0003191682.tif 000011